(57)【要約】【課題】テープに記録されているコンテンツのリピート再生を行わせる場合に、コンテンツの再生が開始されるタイミングの時間間隔をユーザが設定することができるようにする。【解決手段】一連のリピート再生が時刻ｔ1において開始され、図２の例においては、時刻ｔ1から時刻ｔ2までの間にコンテンツの１回目の再生が行われている。時刻ｔ2においてコンテンツの最後まで再生が終了したとき、テープの巻き戻しが開始され、時刻ｔ3まで巻き戻しが続けられる。時刻ｔ4までの間は停止状態になり、２回目の再生の開始時刻である時刻ｔ4から、同じコンテンツの２回目の再生が行われる。時刻ｔ1から時刻ｔ4までの時間間隔は、ユーザにより設定された間隔である。本発明は、テープに記録されているコンテンツを扱う機器に適用することができる。【選択図】図２
2007220221.tif 000002
【特許請求の範囲】
【請求項１】
テープに記録されているコンテンツのリピート再生を行う再生制御装置において、
前記コンテンツの再生を開始するタイミングの時間間隔を、ユーザによる操作に基づいて設定する設定手段と、
前記設定手段により設定された時間間隔で前記コンテンツの先頭から再生が開始されるように、前記コンテンツの再生を制御する制御手段と
を備える再生制御装置。
【請求項２】
前記コンテンツ全体の再生にかかる時間と、前記コンテンツが記録されている前記テープの部分の最後の位置から先頭の位置までの巻き戻しにかかる時間の合計が、前記コンテンツの再生を開始するタイミングの間隔として前記設定手段により設定された時間より短い場合、
前記制御手段は、前記コンテンツ全体の再生が終了したとき、前記コンテンツが記録されている前記テープの部分の最後の位置から先頭の位置まで前記テープの巻き戻しを行い、前記コンテンツの次の再生を開始するタイミングになるまで前記コンテンツの再生を停止させる
請求項１に記載の再生制御装置。
【請求項３】
再生対象になっている前記テープの位置から前記コンテンツが記録されている前記テープの部分の先頭の位置までの巻き戻しにかかる時間が、現在時刻から前記コンテンツの次の再生を開始するタイミングまでの時間と同じ時間になった場合、
前記制御手段は、前記コンテンツの再生を終了し、前記コンテンツが記録されている前記テープの部分の先頭の位置まで前記テープの巻き戻しを開始させる
請求項１に記載の再生制御装置。
【請求項４】
前記設定手段は、前記コンテンツの再生を行う回数と、前記コンテンツのリピート再生の開始時刻のうちの少なくともいずれかをさらに設定する
請求項１に記載の再生制御装置。
【請求項５】
前記制御手段は、前記コンテンツの再生を前記設定手段により設定された回数だけ繰り返す
請求項４に記載の再生制御装置。
【請求項６】
前記制御手段は、前記コンテンツのリピート再生を前記設定手段により設定された開始時刻に開始させる
請求項４に記載の再生制御装置。
【請求項７】
テープに記録されているコンテンツのリピート再生を行う再生制御装置の再生制御方法において、
前記コンテンツの再生を開始するタイミングの時間間隔を、ユーザによる操作に基づいて設定し、
設定した時間間隔で前記コンテンツの先頭から再生が開始されるように、前記コンテンツの再生を制御する
ステップを含む再生制御方法。
【請求項８】
テープに記録されているコンテンツのリピート再生をコンピュータに実行させるプログラムにおいて、
前記コンテンツの再生を開始するタイミングの時間間隔を、ユーザによる操作に基づいて設定し、
設定した時間間隔で前記コンテンツの先頭から再生が開始されるように、前記コンテンツの再生を制御する
ステップを含むプログラム。
【発明の詳細な説明】
【技術分野】
【０００１】
本発明は、再生制御装置、再生制御方法、およびプログラムに関し、特に、テープに記録されているコンテンツのリピート再生を行わせる場合に、コンテンツの再生が開始されるタイミングの時間間隔をユーザが設定することができるようにした再生制御装置、再生制御方法、およびプログラムに関する。
【背景技術】
【０００２】
展示会場や店舗などで商品を紹介する方法の１つとしてデモ映像を流す方法がある。一般的に、リピート再生によって同じ映像が繰り返し表示される。
【０００３】
特許文献１には、テープに記録されている文章のリピート再生を行う技術が開示されている。
【特許文献１】特開昭６１−９０３５２号公報
【発明の開示】
【発明が解決しようとする課題】
【０００４】
ところで、テープに記録されたデモ映像を対象にした従来のリピート再生においては、リピート再生を開始させた後は、先頭から最後までの再生、先頭までの巻き戻し、先頭から最後までの再生、先頭までの巻き戻し、・・・が繰り返されるだけであり、例えば、どのくらいの間隔で１回のデモ映像が再生されるのかや、再生回数などを、商品を紹介する側の者が設定することはできない。
【０００５】
したがって、所定の回数だけ、所定の間隔でデモ映像を再生させたいといった要望に対応することができない。
【０００６】
本発明はこのような状況に鑑みてなされたものであり、テープに記録されているコンテンツのリピート再生を行わせる場合に、例えば、コンテンツの再生が開始されるタイミングの時間間隔をユーザが設定することができるようにするものである。
【課題を解決するための手段】
【０００７】
本発明の一側面の再生制御装置は、テープに記録されているコンテンツのリピート再生を行う再生制御装置において、前記コンテンツの再生を開始するタイミングの時間間隔を、ユーザによる操作に基づいて設定する設定手段と、前記設定手段により設定された時間間隔で前記コンテンツの先頭から再生が開始されるように、前記コンテンツの再生を制御する制御手段とを備える。
【０００８】
前記コンテンツ全体の再生にかかる時間と、前記コンテンツが記録されている前記テープの部分の最後の位置から先頭の位置までの巻き戻しにかかる時間の合計が、前記コンテンツの再生を開始するタイミングの間隔として前記設定手段により設定された時間より短い場合、前記制御手段には、前記コンテンツ全体の再生が終了したとき、前記コンテンツが記録されている前記テープの部分の最後の位置から先頭の位置まで前記テープの巻き戻しを行わせ、前記コンテンツの次の再生を開始するタイミングになるまで前記コンテンツの再生を停止させることができる。
【０００９】
再生対象になっている前記テープの位置から前記コンテンツが記録されている前記テープの部分の先頭の位置までの巻き戻しにかかる時間が、現在時刻から前記コンテンツの次の再生を開始するタイミングまでの時間と同じ時間になった場合、前記制御手段には、前記コンテンツの再生を終了させ、前記コンテンツが記録されている前記テープの部分の先頭の位置まで前記テープの巻き戻しを開始させることができる。
【００１０】
前記設定手段には、前記コンテンツの再生を行う回数と、前記コンテンツのリピート再生の開始時刻のうちの少なくともいずれかをさらに設定させることができる。
【００１１】
前記制御手段には、前記コンテンツの再生を前記設定手段により設定された回数だけ繰り返させることができる。
【００１２】
前記制御手段には、前記コンテンツのリピート再生を前記設定手段により設定された開始時刻に開始させることができる。
【００１３】
本発明の一側面の再生制御方法は、テープに記録されているコンテンツのリピート再生を行う再生制御装置の再生制御方法において、前記コンテンツの再生を開始するタイミングの時間間隔を、ユーザによる操作に基づいて設定し、設定した時間間隔で前記コンテンツの先頭から再生が開始されるように、前記コンテンツの再生を制御するステップを含む。
【００１４】
本発明の一側面のプログラムは、テープに記録されているコンテンツのリピート再生をコンピュータに実行させるプログラムにおいて、前記コンテンツの再生を開始するタイミングの時間間隔を、ユーザによる操作に基づいて設定し、設定した時間間隔で前記コンテンツの先頭から再生が開始されるように、前記コンテンツの再生を制御するステップを含む。
【００１５】
本発明の一側面においては、コンテンツの再生を開始するタイミングの時間間隔が、ユーザによる操作に基づいて設定され、設定された時間間隔でコンテンツの先頭から再生が開始されるように、コンテンツの再生が制御される。
【発明の効果】
【００１６】
本発明の一側面によれば、テープに記録されているコンテンツのリピート再生を行わせる場合に、ユーザは、コンテンツの再生が開始されるタイミングの時間間隔を設定することができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１８】
本発明の一側面の再生制御装置（例えば、図１の再生制御装置１）は、テープに記録されているコンテンツのリピート再生を行う再生制御装置において、前記コンテンツの再生を開始するタイミングの時間間隔を、ユーザによる操作に基づいて設定する設定手段（例えば、図７のメインマイコン２１）と、前記設定手段により設定された時間間隔で前記コンテンツの先頭から再生が開始されるように、前記コンテンツの再生を制御する制御手段（例えば、図７のテープ駆動部３３）とを備える。
【００１９】
本発明の一側面の再生制御方法またはプログラムは、コンテンツの再生を開始するタイミングの時間間隔を、ユーザによる操作に基づいて設定し、設定した時間間隔で前記コンテンツの先頭から再生が開始されるように、前記コンテンツの再生を制御するステップ（例えば、図１３のステップＳ２２）を含む。
【００２０】
以下、本発明の実施の形態について図を参照して説明する。
【００２１】
図１は、本発明の一実施形態に係る再生制御装置１と、再生制御装置１に接続された外部モニタ２を示す図である。
【００２２】
再生制御装置１は、テープに記録されたコンテンツを再生し、映像を外部モニタ２に、音声をスピーカ（図示せず）にそれぞれ出力させる。再生制御装置１においては、テープに記録されたコンテンツの先頭から、所定の時間間隔で、所定の回数だけ繰り返し再生される。再生制御装置１はコンテンツのリピート再生を行う装置である。
【００２３】
図１に示されるように、再生制御装置１には、所定の規格のテープを装着可能なテープ装着部１１が設けられており、このテープ装着部１１に、リピート再生の対象になるコンテンツが記録されたテープが装着される。再生制御装置１には、LCD(Liquid Crystal Display)などよりなる表示部１２も筐体表面に設けられている。
【００２４】
外部モニタ２はLCDなどよりなり、再生制御装置１から供給された映像を表示する。再生制御装置１と外部モニタ２は例えばＳ端子ケーブルなどによって接続される。
【００２５】
ユーザは、コンテンツが再生される時間間隔、再生回数、リピート再生の開始時刻を再生制御装置１に設定し、設定した内容にしたがってリピート再生を行わせることができる。
【００２６】
図２は、再生制御装置１により行われるリピート再生の例を示す図である。図２において横方向が時間方向を表す。
【００２７】
図２の例においては、一連のリピート再生が時刻ｔ1において開始され、コンテンツの１回目の再生が時刻ｔ1から時刻ｔ2までの間に行われている。コンテンツの先頭から、再生された順に映像が外部モニタ２に表示され、音声がスピーカから出力される。
【００２８】
時刻ｔ2においてコンテンツの最後まで再生が終了したとき、テープの巻き戻しが開始され、時刻ｔ3まで続けられる。コンテンツの先頭まで巻き戻しが終わった時刻ｔ3から、時刻ｔ4までの間は再生制御装置１の状態は停止状態になる。
【００２９】
このように、コンテンツの最後まで再生を行い、テープの巻き戻しを行ったとしても次の再生開始のタイミングまでに時間がある場合、再生制御装置１の状態は停止状態になり、設定された時間間隔でコンテンツの先頭から再生が行われるように時間が調整される。
【００３０】
また、図２の例においては、時刻ｔ4から時刻ｔ5までの間にコンテンツの２回目の再生が行われ、２回目の再生が終了した時刻ｔ5において、テープの巻き戻しが開始される。テープの巻き戻しは時刻ｔ6まで続けられ、コンテンツの先頭まで巻き戻しが終わった時刻ｔ6から、時刻ｔ7までの間は再生制御装置１の状態は停止状態になる。
【００３１】
同様に、時刻ｔ7から時刻ｔ8までの間にコンテンツの３回目の再生が行われ、３回目の再生が終了した時刻ｔ8において、テープの巻き戻しが開始される。テープの巻き戻しは時刻ｔ9まで続けられ、コンテンツの先頭まで巻き戻しが終わった時刻ｔ9から、時刻ｔ10までの間は停止状態とされ、時刻ｔ10に一連のリピート再生が終了される。
【００３２】
すなわち、図２は、一連のリピート再生の中で行われるコンテンツの再生回数が３回として設定された場合の例を示している。
【００３３】
また、図２は、コンテンツの再生の時間間隔が時刻ｔ1から時刻ｔ4までの時間（＝時刻ｔ4から時刻ｔ7までの時間、時刻ｔ7から時刻ｔ10までの時間）として設定されるとともに、一連のリピート再生の開始時刻が時刻ｔ1として設定された場合の例を示している。
【００３４】
このように、再生が開始される時間間隔を設定することができるから、例えば、再生対象のコンテンツが商品のデモ映像などである場合、商品を紹介する側の者は、デモ映像の再生にあわせて口頭で行う商品説明のスケジュールを立てやすい。
【００３５】
なお、図２は、コンテンツの再生を終えた後にテープの巻き戻しを行ったとしても次の再生開始のタイミングまでに時間がある場合、すなわち、コンテンツ全体の再生にかかる時間と巻き戻しにかかる時間の合計が、コンテンツの再生間隔として設定された時間より短い場合の例を示しており、この場合、上述したように、次の再生開始のタイミングまで、再生制御装置１の状態が停止状態になることによって一定間隔でのコンテンツの再生が確保される。
【００３６】
一方、コンテンツ全体の再生にかかる時間と巻き戻しにかかる時間の合計が、コンテンツの再生間隔として設定された時間より長い場合、コンテンツの最後まで再生することよりも、一定間隔でのコンテンツの再生を確保することが優先され、再生対象になっている位置がコンテンツの途中の位置であっても、コンテンツの再生は所定のタイミングで終了され、巻き戻しが開始される。例えば、テープの再生対象になっている位置から、コンテンツが記録されている部分の先頭の位置までの巻き戻しにかかる時間が、現在時刻から次の再生を開始するタイミングまでの時間と同じ時間になったタイミングでコンテンツの再生は終了され、巻き戻しが開始される。
【００３７】
これにより、可能な限り再生が行われつつ、一定間隔でのコンテンツの再生が確保される。後述するように、再生制御装置１においては、テープのそれぞれの位置と、それぞれの位置から先頭の位置までの巻き戻しにかかる時間の対応を示すテーブルが管理されている。
【００３８】
ここで、リピート再生に関する設定に用いられる画面表示について説明する。
【００３９】
図３は、再生回数の設定画面の例を示す図である。
【００４０】
図３の左側に示される画面＃１は、再生回数の設定の項目がメニュー画面から選択されたときに表示部１２に表示される画面である。図３の画面＃１には、ユーザが選択可能な項目を表す「TIMES SET」と「TIMES」の文字が表示されている。
【００４１】
「TIMES SET」は回数設定のON/OFF（回数を設定してリピート再生を行うか否か）を設定するときに選択される項目であり、「TIMES」は回数を設定するときに選択される項目である。ユーザは、再生制御装置１の筐体表面に設けられる十字キーの上下のボタンを操作してカーソルＣを移動させ、決定キーを押すことによって、そのときカーソルＣをあてている項目を選択することができる。
【００４２】
図３の画面＃１には、回数を設定してリピート再生を行うことが設定されていることを表す「ON」が「TIMES SET」の右隣に表示され、再生回数が４５回として設定されていることを表す「45」が「TIMES」の右隣に表示されている。
【００４３】
画面＃１から「TIMES SET」の項目が選択されたとき、表示部１２には、図３の右上に示される画面＃２が画面＃１に替えて表示される。画面＃２には「OFF」、「ON」の文字が表示される。ユーザは画面＃２において回数設定のON/OFFを設定することができる。
【００４４】
一方、画面＃１から「TIMES」の項目が選択されたとき、表示部１２には、図３の右下に示される画面＃３が画面＃１に替えて表示される。ユーザは上下キーを操作して回数を増減させ、再生回数を設定することができる。
【００４５】
図４は、再生時間間隔の設定画面の例を示す図である。
【００４６】
図４の左側に示される画面＃１１は、再生時間間隔の設定の項目がメニュー画面から選択されたときに表示部１２に表示される画面である。図４の画面＃１１には、ユーザが選択可能な項目を表す「INTERVAL SET」と「INTERVAL」の文字が表示されている。
【００４７】
「INTERVAL SET」は時間間隔の設定のON/OFF（時間間隔を設定してリピート再生を行うか否か）を設定するときに選択される項目であり、「INTERVAL」は時間を設定するときに選択される項目である。ユーザは、十字キーの上下のボタンを操作してカーソルＣを移動させ、決定キーを押すことによって、そのときカーソルＣをあてている項目を選択することができる。
【００４８】
図４の画面＃１１には、時間間隔を設定してリピート再生を行うことが設定されていることを表す「ON」が「INTERVAL SET」の右隣に表示され、時間間隔が６０分として設定されていることを表す「60min」が「INTERVAL」の右隣に表示されている。
【００４９】
画面＃１１から「INTERVAL SET」の項目が選択されたとき、表示部１２には、図４の右上に示される画面＃１２が画面＃１１に替えて表示される。画面＃１２には「OFF」、「ON」の文字が表示される。ユーザは画面＃１２において時間間隔の設定のON/OFFを設定することができる。
【００５０】
一方、画面＃１１から「INTERVAL」の項目が選択されたとき、表示部１２には、図４の右下に示される画面＃１３が画面＃１１に替えて表示される。ユーザは上下キーを操作して時間を増減させ、時間間隔を設定することができる。
【００５１】
図５は、一連のリピート再生の開始時刻の設定画面の例を示す図である。
【００５２】
図５の左側に示される画面＃２１は、開始時刻の設定の項目がメニュー画面から選択されたときに表示部１２に表示される画面である。図５の画面＃２１には、ユーザが選択可能な項目を表す「TIME SET」と「TIME」の文字が表示されている。
【００５３】
「TIME SET」は開始時刻の設定のON/OFF（開始時刻を設定してリピート再生を行うか否か）を設定するときに選択される項目であり、「TIME」は開始時刻を設定するときに選択される項目である。ユーザは、十字キーの上下のボタンを操作してカーソルＣを移動させ、決定キーを押すことによって、そのときカーソルＣをあてている項目を選択することができる。
【００５４】
図５の画面＃２１には、開始時刻を設定してリピート再生を行うことが設定されていることを表す「ON」が「TIME SET」の右隣に表示され、開始時刻が１２時３０分として設定されていることを表す「12:30」が「TIME」の右隣に表示されている。
【００５５】
画面＃２１から「TIME SET」の項目が選択されたとき、表示部１２には、図５の右上に示される画面＃２２が画面＃２１に替えて表示される。画面＃２２には「OFF」、「ON」の文字が表示される。ユーザは画面＃２２において開始時刻の設定のON/OFFを設定することができる。
【００５６】
一方、画面＃２１から「TIME」の項目が選択されたとき、表示部１２には、図５の右下に示される画面＃２３が画面＃２１に替えて表示される。ユーザは上下キーを操作して開始時刻を設定することができる。
【００５７】
図６は、リピート再生に関する設定に用いられる画面全体の表示の切り替えの例を示す図である。
【００５８】
図６の左側に示される画面＃３１が、リピート再生の設定に関するメニュー画面である。図６に示されるように、画面＃３１には「PB TIMES」、「PB INTERVAL」、「START TIME」の文字が表示され、ユーザは、このうちの「PB TIMES」を選択することによって、図３の画面＃１を画面＃３１に替えて表示部１２に表示させることができ、「PB INTERVAL」を選択することによって、図４の画面＃１１を画面＃３１に替えて表示部１２に表示させることができる。ユーザは、「START TIME」を選択することによって、図５の画面＃２１を画面＃３１に替えて表示部１２に表示させることができる。
【００５９】
以上の画面を用いてユーザにより行われた設定にしたがってリピート再生を行う再生制御装置１の動作についてはフローチャートを参照して後述する。
【００６０】
図７は、再生制御装置１の構成例を示すブロック図である。
【００６１】
メインマイコン２１（メインマイクロコンピュータ２１）は、サブマイコン２２（サブマイクロコンピュータ２２）とベースバンドブロック３７を制御し、再生制御装置１の全体の動作を制御する。再生制御装置１の筐体表面に設けられた十字キーや決定キーなどを用いたユーザの各種の操作は、このメインマイコン２１により受け付けられる。
【００６２】
例えば、メインマイコン２１は、サブマイコン２２を制御して、ユーザによる設定にしたがったリピート再生を行わせたりする。
【００６３】
サブマイコン２２は、メインマイコン２１による制御にしたがって、IEEE1394 I/F３１、テープ駆動部３３、HDV MUX/DEMUX３４（HDVマルチプレクサ／デマルチプレクサ３４）、HDVコーデック３５、DVコーデック３６を制御する。例えば、サブマイコン２２は、テープ装着部１１に装着されたテープに記録されているコンテンツをテープ駆動部３３に読み出させ、HDV MUX/DEMUX３４やDVコーデック３６に出力させる。
【００６４】
また、サブマイコン２２は、HDV MUX/DEMUX３４とHDVコーデック３５により実現される、HDVフォーマットのコンテンツの処理を行う機能と、DVコーデック３６により実現される、DVフォーマットのコンテンツの処理を行う機能とを、処理対象になっているコンテンツのフォーマットに応じて切り替える。例えば、リピート再生の対象になるコンテンツは、HDVフォーマットのコンテンツ、あるいはDVフォーマットのコンテンツとされる。
【００６５】
サブマイコン２２は、リピート再生の対象のコンテンツがHDVフォーマットのコンテンツであり、そのコンテンツがテープ駆動部３３によりテープから読み出されたとき、HDV MUX/DEMUX３４とHDVコーデック３５を制御してコンテンツの処理を行わせ、リピート再生の対象のコンテンツがDVCAM、DV SPなどのDVフォーマットのコンテンツであり、そのコンテンツがテープ駆動部３３によりテープから読み出されたとき、DVコーデック３６を制御してコンテンツの処理を行わせる。
【００６６】
IEEE1394 I/F３１は、サブマイコン２２による制御にしたがってAV/Cコマンド（AV/C Digital Interface Command Set）を生成し、IEEE1394端子３２に装着されたIEEE1394ケーブルを介して接続される外部機器を制御する。IEEE1394 I/F３１は、外部機器から取り込まれたHDVフォーマットのコンテンツをHDV MUX/DEMUX３４に出力し、外部機器から取り込まれたDVフォーマットのコンテンツをDVコーデック３６に出力する。また、IEEE1394 I/F３１は、HDV MUX/DEMUX３４、DVコーデック３６からデータが供給されたとき、供給されたデータを外部機器に出力する。
【００６７】
テープ駆動部３３は、テープ装着部１１に装着されたテープの再生、巻き戻しなどを制御し、テープから読み出されたHDVフォーマットのコンテンツをHDV MUX/DEMUX３４に出力し、テープから読み出されたDVフォーマットのコンテンツをDVコーデック３６に出力する。また、テープ駆動部３３は、HDV MUX/DEMUX３４、DVコーデック３６からデータが供給されたとき、供給されたデータをテープに記録させる。
【００６８】
HDV MUX/DEMUX３４は、サブマイコン２２による制御にしたがって、HDVコーデック３５により符号化されたHDVフォーマットのデータからストリームを生成し、生成したストリームをIEEE1394 I/F３１、テープ駆動部３３に出力する。また、HDV MUX/DEMUX３４は、サブマイコン２２による制御にしたがって、IEEE1394 I/F３１から供給されたストリームから所定のパケットを抽出し、抽出したパケットをHDVコーデック３５に出力する。
【００６９】
HDVコーデック３５は、サブマイコン２２による制御にしたがって、ベースバンドブロック３７から供給されたデータをHDVフォーマットのデータとして符号化し、符号化して得られたデータをHDV MUX/DEMUX３４に出力する。また、HDVコーデック３５は、サブマイコン２２による制御にしたがって、HDV MUX/DEMUX３４から供給されたデータを復号し、復号して得られたデータをベースバンドブロック３７に出力する。
【００７０】
DVコーデック３６は、サブマイコン２２による制御にしたがって、ベースバンドブロック３７から供給されたデータをDVフォーマットのデータとして符号化し、符号化して得られたデータをIEEE1394 I/F３１、またはテープ駆動部３３に出力する。また、DVコーデック３６は、サブマイコン２２による制御にしたがって、IEEE1394 I/F３１、テープ駆動部３３から供給されたデータを復号し、復号して得られたデータをベースバンドブロック３７に出力する。
【００７１】
ベースバンドブロック３７は、メインマイコン２１による制御にしたがって、図３乃至図６に示されるような画面を表示部１２に表示させる。
【００７２】
また、ベースバンドブロック３７は、HDVコーデック３５、DVコーデック３６から供給されたデータに基づいて、Ｓ端子３８に接続される外部モニタ２にコンテンツの再生映像を表示させるとともに、音声をスピーカから出力させる。ベースバンドブロック３７は、Ｄ端子３９、HDMI(High-Definition Multimedia Interface)端子４０に接続される機器に所定のデータを出力したりもする。
【００７３】
電源マイコン４１は、再生制御装置１の各部に対する電源の供給を制御する。
【００７４】
図８は、テープのそれぞれの位置と、それぞれの位置から先頭の位置までの巻き戻しにかかる時間の対応を示すテーブルの例を示す図である。図８に示されるようなテーブルは、テープ装着部１１に装着されるテープの規格毎に用意され、例えばメインマイコン２１により管理される。
【００７５】
図８のテーブルにおいては、テープの先頭の位置は０分で表され、この位置を基準として、１分で表される位置（先頭から再生を開始したときに１分後に再生対象になる位置）から先頭の位置までの巻き戻しにかかる時間は５秒とされている。また、２分で表される位置から先頭の位置までの巻き戻しにかかる時間は６秒とされている。
【００７６】
同様に、５８分で表される位置から先頭の位置までの巻き戻しにかかる時間は５９秒とされ、５９分で表される位置から先頭の位置までの巻き戻しにかかる時間は６０秒とされている。６０分で表される位置から先頭の位置までの巻き戻しにかかる時間は６１秒とされている。
【００７７】
次に、再生制御装置１の動作について説明する。
【００７８】
はじめに、図９のフローチャートを参照して、リピート再生に関する設定を行う再生制御装置１の処理について説明する。
【００７９】
この処理は、例えば、再生制御装置１に設けられたキーが操作され、図６の画面＃３１を表示することがユーザにより指示されたときに開始される。ユーザによるキーの操作はメインマイコン２１により受け付けられ、表示部１２には、図６の画面＃３１がベースバンドブロック３７により表示される。ユーザは、画面＃３１から所定の項目を選択して表示部１２に表示される画面を切り替え、設定を行うことができる。
【００８０】
ステップＳ１において、ベースバンドブロック３７は、メインマイコン２１による制御にしたがって、図３乃至図５に示されるような画面を表示部１２に表示させる。
【００８１】
ステップＳ２において、メインマイコン２１は、表示部１２に表示された画面を用いて行われたユーザの設定を受け付け、リピート再生の回数、時間間隔、再生開始時刻を設定し、処理を終了させる。ユーザにより行われた設定の内容はメインマイコン２１により保持される。
【００８２】
次に、図１０のフローチャートを参照して、リピート再生を行う再生制御装置１の処理について説明する。
【００８３】
この処理は、例えば、図１１に示されるような、再生制御装置１の筐体表面に設けられるスライドスイッチ５１が「REPEAT」の位置にスライドされ、リピート再生機能をONにすることが指示されたときに開始される。
【００８４】
図１１は再生制御装置１の筐体表面の一部を示す図であり、再生制御装置１の所定の位置には「REPEAT」、「OFF」、「REC」の文字がプリントされ、それぞれの文字がプリントされている位置にスライドスイッチ５１をスライドさせることができるようになされている。ユーザは、「REPEAT」の文字がプリントされた位置にスライドスイッチ５１をスライドさせることによってリピート再生機能のONを選択することができる。
【００８５】
また、図１０の処理は、図１２に示されるような画面からリピート再生機能をONにすることが選択されたときにも開始される。図１２の例においては、画面の右方に「ON」、「OFF」の文字が表示され、ユーザは、「ON」の文字をカーソルＣで選択することによってリピート再生機能のONを選択することができる。
【００８６】
図１０のステップＳ１１において、メインマイコン２１は、リピート再生の開始時刻がユーザにより設定されているか否かを判定する。上述したように、ユーザにより行われた設定の内容を表す情報はメインマイコン２１により保持されている。
【００８７】
メインマイコン２１は、ステップＳ１１において、リピート再生の開始時刻が設定されていると判定した場合、ステップＳ１２に進み、サブマイコン２２を制御してテープ装着部１１に装着されたテープの巻き戻しを行わせる。
【００８８】
テープの巻き戻しが終わったとき、メインマイコン２１は、ステップＳ１３において、ユーザにより設定された開始時刻になったか否かを判定し、開始時刻になったと判定するまで待機する。
【００８９】
メインマイコン２１は、ステップＳ１３において、リピート再生の開始時刻になったと判定した場合、ステップＳ１４に進み、リピート再生処理を行う。この処理により、テープ装着部１１に装着されたテープに記録されているコンテンツが、ユーザにより設定された時間間隔で、ユーザにより設定された回数だけ繰り返し再生される。リピート再生処理の詳細については図１３のフローチャートを参照して後述する。
【００９０】
一方、ステップＳ１１において、メインマイコン２１は、開始時刻が設定されていないと判定した場合、ステップＳ１５に進み、サブマイコン２２を制御してテープ装着部１１に装着されたテープの巻き戻しを行わせる。
【００９１】
テープの巻き戻しが終了したとき、ステップＳ１４においてリピート再生処理が行われ、その後、処理は終了される。
【００９２】
次に、図１３のフローチャートを参照して、図１０のステップＳ１４において行われるリピート再生処理について説明する。
【００９３】
ステップＳ２１において、メインマイコン２１は、再生回数をカウントし、現在の再生回数を１だけインクリメントする。
【００９４】
メインマイコン２１は、ステップＳ２２において、サブマイコン２２を制御し、テープに記録されているコンテンツの再生を行わせる。
【００９５】
ステップＳ２３において、メインマイコン２１は、いま行っている再生を終了させる条件である終了条件を検出したか否かを判定する。例えば、テープ駆動部３３によりテープから読み出されたデータがサブマイコン２２により監視されており、監視結果の情報がサブマイコン２２からメインマイコン２１に通知される。
【００９６】
例えば、テープ駆動部３３により読み出されたデータから、再生の終了位置を表すインデックス信号、テープの未記録部分、テープエンド、フォーマットの変化点が検出されたときに終了条件が検出されたと判定される。
【００９７】
なお、インデックス信号は、ユーザによりコンテンツ中にあらかじめ設定される情報である。
【００９８】
また、フォーマットの変化点は、テープ駆動部３３により読み出されるデータに含まれるシステムモード、トラックピッチの情報が切り替わった位置から判断される。システムモードは、テープ装着部１１に装着されたテープに記録されているコンテンツがHDV1080i，HDV720p，HDV480pのうちのどのHDVフォーマットのコンテンツであるのかと、HDVフォーマットとDVフォーマットのうちのいずれのフォーマットのコンテンツであるのかを表す。また、トラックピッチは、テープに記録されているコンテンツがDVCAM，DV SP，DV LPのうちのどのDVフォーマットのコンテンツであるのかを表す。
【００９９】
また、設定された時間間隔にしたがってコンテンツの再生を行う場合に、現在の時刻が次の再生開始タイミングに近いことが図８に示されるようなテーブルが参照されることによって判断されたときにも、終了条件が検出されたと判定される。
【０１００】
具体的には、例えば、時間間隔が６０分として設定されている場合、図８でいう５８分で表されるテープの位置（先頭から再生を開始したときに５８分後に再生対象になっている位置）が再生対象の位置になっているときには、その位置から先頭の位置までの巻き戻しにかかる時間は５９秒であり、再生時間と巻き戻しにかかる時間の合計が時間間隔である６０分より短いから、終了条件が検出されたとはまだ判定されない。
【０１０１】
一方、５９分で表されるテープの位置が再生対象の位置になっているときには、その位置から先頭の位置までの巻き戻しにかかる時間は６０秒（１分）であり、再生時間と巻き戻しにかかる時間の合計が時間間隔である６０分と同じ時間になるから、このとき、終了条件が検出されたと判定される。
【０１０２】
ステップＳ２３において、メインマイコン２１は、終了条件を検出したと判定していない場合、ステップＳ２２に戻り、再生を繰り返す。
【０１０３】
メインマイコン２１は、ステップＳ２３において、終了条件を検出したと判定した場合、ステップＳ２４に進み、サブマイコン２２を制御してコンテンツの再生を終了させるとともに、テープの先頭の位置まで巻き戻しを行わせる。すなわち、上述した例の場合、コンテンツの再生が５９分で表されるテープの位置で終了され、その後、６０秒かけてコンテンツが記録されているテープの先頭の位置まで巻き戻しが行われる。
【０１０４】
ステップＳ２５において、メインマイコン２１は、設定された再生回数と、現在までに終了済みの再生の回数に基づいて、再生回数が残っているか否かを判定し、再生回数が残っていると判定した場合、ステップＳ２１に戻り、上述した処理を繰り返す。
【０１０５】
一方、メインマイコン２１は、ステップＳ２５において、設定された再生回数と、現在までに終了済みの再生の回数に基づいて、再生回数が残っていない、すなわち、ユーザにより設定された再生回数だけコンテンツの再生を行ったと判定した場合、リピート再生処理を終了させる。その後、処理は図１０のステップＳ１４に戻り、図１０の処理も終了される。
【０１０６】
以上のような処理が行われることによって、一連のリピート再生がユーザにより設定された時刻に開始され、その後、設定された回数だけ、設定された時間間隔でコンテンツの再生が繰り返されることになる。
【０１０７】
図１４は、コンテンツのリピート再生機能がONの状態のときに表示部１２に表示される画面の例を示す図である。
【０１０８】
コンテンツのリピート再生機能がONにされたとき、表示部１２には、そのことを表す図１４に示されるようなアイコン６１が表示される。
【０１０９】
また、リピート再生の開始時刻が設定されており、再生制御装置１の状態が開始時刻になるまで待機している状態にあるとき、アイコン６１の隣には、再生制御装置１の状態が待機状態にあることを表す図１５に示されるようなアイコン６２が表示される。
【０１１０】
図１６は、リピート再生の状態を表す情報が表示されるステータスチェック画面の例を示す図である。図１６に示される画面は、リピート再生が行われているときに所定のタイミングで表示される。
【０１１１】
図１６の画面に表示される「END FORECAST」は、一連のリピート再生の終了予想時刻を表し、一連のリピート再生が開始された時刻と、ユーザにより設定された１回の再生の時間間隔、再生回数などから求められる。
【０１１２】
「REMAINING」は、一連のリピート再生が終了するまでにかかる時間を表し、ユーザにより設定された１回の再生の時間間隔、残りの再生回数などから求められる。
【０１１３】
「PB TIMES」は現在行われている再生が何回目の再生であるのかを表し、「PB INTERVAL」は、コンテンツの現在の再生位置を表す時刻と、設定された時間間隔を表す。「AC ON START」は設定された、一連のリピート再生の開始時刻を表す。
【０１１４】
以上においては、一連のリピート再生の開始時刻、すなわち、１回目のコンテンツの再生開始時刻だけをユーザは設定することができるものとしたが、１回目だけでなく、それぞれの回の再生開始時刻をも設定することができるようにしてもよい。
【０１１５】
また、コンテンツの先頭から所定の位置までのデータをメモリなどに記憶させておき、テープの巻き戻しが行われている最中はメモリに記憶させておいたデータを対象として再生を行うことによって、巻き戻しが行われていることをユーザに意識させないようにすることも可能である。
【０１１６】
この場合、メモリに記憶させておくデータの量は、テープの巻き戻しにかかる時間と同じ時間だけ映像を表示したり、音声を出力したりするのに必要な量とされる。メモリに記憶させておいたデータに基づいてコンテンツの先頭から再生を行い、全てのデータを再生したとき、再生対象になるデータはテープに記録されているデータに切り替えられ、その後、テープに記録されているデータを対象にして再生が続けられる。したがって、テープの巻き戻しは先頭まで行われるのではなく、メモリに記憶させておいたデータによって再生が可能なコンテンツの最後の部分が記録されている位置までになる。
【０１１７】
また、巻き戻しが行われている最中、テープ装着部１１に装着されたテープに記録されているコンテンツ以外の、再生制御装置１が処理することができるコンテンツが再生され、音声と映像が出力されるようにしてもよい。例えば、再生制御装置１内部のメモリなどに記憶されていたコンテンツが再生されるようにしてもよいし、再生制御装置１に接続された機器から取り込まれたコンテンツが再生されるようにしてもよい。
【０１１８】
さらに、以上においては、リピート再生の対象になるコンテンツが映像と音声からなるコンテンツであるものとしたが、音楽をリピート再生させる場合や、静止画のスライドショーをリピート再生させる場合などにも、設定された再生回数や時間間隔にしたがってそれらのリピート再生が行われるようにしてもよい。
【０１１９】
また、以上においては、テープに記録されているコンテンツをリピート再生の対象にする場合について説明したが、巻き戻しに時間がかかる、他の種類の記録媒体に記録されているコンテンツを対象にしてもよい。
【０１２０】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１２１】
図１７は、上述した一連の処理をプログラムにより実行するパーソナルコンピュータの構成の例を示すブロック図である。
【０１２２】
CPU(Central Processing Unit)１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【０１２３】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１２４】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１２５】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１２６】
コンピュータにインストールされ、コンピュータによって実行可能な状態とされるプログラムを格納するプログラム記録媒体は、図１７に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、デジタル衛星放送といった、有線または無線の通信媒体を利用して行われる。
【０１２７】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１２８】
【図１】本発明の一実施形態に係る再生制御装置と、再生制御装置に接続された外部モニタの例を示す図である。
【図２】リピート再生の例を示す図である。
【図３】再生回数の設定画面の例を示す図である。
【図４】時間間隔の設定画面の例を示す図である。
【図５】再生開始時刻の設定画面の例を示す図である。
【図６】画面表示の切り替えの例を示す図である。
【図７】再生制御装置の構成例を示すブロック図である。
【図８】テーブルの例を示す図である。
【図９】再生制御装置の設定処理について説明するフローチャートである。
【図１０】再生制御装置の再生制御処理について説明するフローチャートである。
【図１１】スライドスイッチの例を示す図である。
【図１２】設定画面の例を示す図である。
【図１３】図１０のステップＳ１４において行われるリピート再生処理について説明するフローチャートである。
【図１４】アイコンの例を示す図である。
【図１５】他のアイコンの例を示す図である。
【図１６】ステータスチェック画面の例を示す図である。
【図１７】パーソナルコンピュータの構成例を示すブロック図である。
【符号の説明】
【０１２９】
１  再生制御装置，  ２  外部モニタ，  １２  表示部，  ２１  メインマイコン，  ２２  サブマイコン，  ３３  テープ駆動部，  ３４  HDV MUX/DEMUX，  ３５  HDVコーデック，  ３６  DVコーデック
【図１】
2007220221.tif 000003
【図２】
2007220221.tif 000004
【図３】
2007220221.tif 000005
【図４】
2007220221.tif 000006
【図５】
2007220221.tif 000007
【図６】
2007220221.tif 000008
【図７】
2007220221.tif 000009
【図８】
2007220221.tif 000010
【図９】
2007220221.tif 000011
【図１０】
2007220221.tif 000012
【図１１】
2007220221.tif 000013
【図１２】
2007220221.tif 000014
【図１３】
2007220221.tif 000015
【図１４】
2007220221.tif 000016
【図１５】
2007220221.tif 000017
【図１６】
2007220221.tif 000018
【図１７】
2007220221.tif 000019